(57)【要約】【課題】ガイドリングを強固に且つ正確に装着できる釣糸ガイドと釣竿と釣糸ガイドのガイドフレームを提供する。【解決手段】釣糸を案内するためのガイドリングと、該ガイドリングが装着されるリング装着孔１０が形成されたガイドフレーム３とを備えた釣糸ガイドであって、リング装着孔１０の壁面には、該壁面の周方向に沿って螺旋状の溝２１が形成されており、螺旋状の溝２１は、リング装着孔１０の壁面の軸線方向の全長に亘って形成され、また、螺旋状の溝２１は二回転以上形成されている。【選択図】図６
2018007598.tif 000002
【特許請求の範囲】
【請求項１】
釣糸を案内するためのガイドリングと、該ガイドリングが装着されるリング装着孔が形成されたガイドフレームとを備えた釣糸ガイドであって、
リング装着孔の壁面には、該壁面の周方向に沿って螺旋状の溝が形成されていることを特徴とする釣糸ガイド。
【請求項２】
螺旋状の溝は、リング装着孔の壁面の軸線方向の全長に亘って形成されている請求項１記載の釣糸ガイド。
【請求項３】
螺旋状の溝は二回転以上形成されている請求項１又は２記載の釣糸ガイド。
【請求項４】
請求項１乃至３の何れかに記載の釣糸ガイドを備えている釣竿。
【請求項５】
釣糸を案内するためのガイドリングが装着されるリング装着孔を有する釣糸ガイドのガイドフレームであって、
リング装着孔の壁面には、該壁面の周方向に沿って螺旋状の溝が形成されていることを特徴とする釣糸ガイドのガイドフレーム。
【発明の詳細な説明】
【技術分野】
【０００１】
本発明は、釣糸を案内するための釣糸ガイドと、それを備えた釣竿と、釣糸ガイドのガイドフレームに関する。
【背景技術】
【０００２】
釣糸ガイドが釣竿の外側に装着された、いわゆる外ガイド式の釣竿は、例えば磯竿等において多様されている。かかる釣糸ガイドは、釣糸を案内するためのガイドリングと、該ガイドリングを保持するためのガイドフレームとを備えている。ガイドフレームにはリング装着孔が形成されていて、そのリング装着孔の中心線の方向に沿ってガイドリングがリング装着孔に挿入されると共に接着剤により固定される。そして、釣糸ガイドのガイドリングに釣糸が挿通されて案内される。ガイドリングには釣糸から大きな力が作用することになるため、ガイドフレームにガイドリングを強固に接着しておく必要がある。
【０００３】
下記特許文献１には、ガイドフレームに円筒状の部分を設けてその内周面にガイドリングを内嵌し接着剤により固定する構成が開示されている。この場合、円筒状の部分の内周面に接着剤が溜まる部分が存在しないため、強固に接着させようとして接着剤の塗布量を多くすると、接着剤がガイドリングの前面側や後面側に大きくはみ出すことになり、そのはみ出した接着剤に釣糸が接触するおそれがある。従って、接着剤の付着量を多くすることによってガイドリングを強固に固定させることは困難である。
【０００４】
また、下記特許文献２では、リング装着孔の壁面の中間部から前側と後側に向けてそれぞれテーパ状に拡開させた形状について提案されている。そして、中間部がガイドリングの外周面に点あるいは線で接触する一方、その前後両側のテーパ状の部分とガイドリングの外周面との間には隙間が形成され、その隙間に接着剤が充填される。
【０００５】
この構成では、リング装着孔の壁面における前後両側のテーパ状の部分に接着剤を充填することができるが、リング装着孔の壁面の中間部にガイドリングが点あるいは線で接触する構成であるため、リング装着孔にガイドリングを挿入する際にガイドリングが傾きやすく、ガイドリングをガイドフレームに正確に組み付けることが困難である。また、その結果、ガイドリングをガイドフレームに強固に固定できない。
【先行技術文献】
【特許文献】
【０００６】
【特許文献１】特許第２９１６４００号公報
【特許文献２】特開２０１１−２２３９１７号公報
【発明の概要】
【発明が解決しようとする課題】
【０００７】
それゆえに本発明は、ガイドリングを強固に且つ正確に装着できる釣糸ガイドと釣竿と釣糸ガイドのガイドフレームを提供することを課題とする。
【課題を解決するための手段】
【０００８】
本発明は上記課題を解決すべくなされたものであって、本発明に係る釣糸ガイドは、釣糸を案内するためのガイドリングと、該ガイドリングが装着されるリング装着孔が形成されたガイドフレームとを備えた釣糸ガイドであって、リング装着孔の壁面には、該壁面の周方向に沿って螺旋状の溝が形成されていることを特徴とする。
【０００９】
該構成の釣糸ガイドにあっては、リング装着孔の壁面に螺旋状の溝が形成されているので、その螺旋状の溝に接着剤を溜めることができる。即ち、螺旋状の溝を接着溜まりとすることができる。そのため、多くの量の接着剤でガイドリングをガイドフレームに強固に接着固定できる。また、リング装着孔の壁面のうち螺旋状の溝以外の部分はリング装着孔の軸線方向に沿ったフラットな面となっているので、リング装着孔にガイドリングを正確に挿入することができる。即ち、リング装着孔の壁面は、軸線方向に沿ってフラットな面と溝の組み合わせとなっているので、フラットな面をガイド面としてリング装着孔にガイドリングを正確に挿入することができ、しかも、螺旋状の溝には接着剤を溜めることができる。
【００１０】
特に、螺旋状の溝は、リング装着孔の壁面の軸線方向の全長に亘って形成されていることが好ましく、螺旋状の溝の長さを十分に確保でき、接着剤を溜める量も確保しやすい。また、螺旋状の溝がリング装着孔の壁面の一端部や他端部まで達するので、螺旋状の溝内の空気が螺旋状の溝の一端部や他端部から外部に排出されやすく、螺旋状の溝内に空気が残存しにくい。そのため、螺旋状の溝に接着剤を容易に溜めることができる。
【００１１】
また、螺旋状の溝は二回転以上形成されていることが好ましく、螺旋状の溝の長さを十分に確保できて多くの接着剤を溜めることができる。
【００１２】
また、本発明に係る釣竿は、このような釣糸ガイドを備えるものである。
【００１３】
また、本発明に係る釣糸ガイドのガイドフレームは、釣糸を案内するためのガイドリングが装着されるリング装着孔を有する釣糸ガイドのガイドフレームであって、リング装着孔の壁面には、該壁面の周方向に沿って螺旋状の溝が形成されていることを特徴とする。
【発明の効果】
【００１４】
以上のように、リング装着孔の壁面に螺旋状の溝が形成されているので、ガイドリングをガイドフレームに強固に且つ正確に装着できる。
【図面の簡単な説明】
【００１５】
【図１】本発明の一実施形態における釣糸ガイドのガイドフレームを示す斜視図。
【図２】同ガイドフレームの側面図。
【図３】同ガイドフレームを後方から竿体の中心線の方向に沿って見た背面図。
【図４】同ガイドフレームの平面図。
【図５】同ガイドフレームの底面図。
【図６】図２のＡ−Ａ断面図。
【図７】図６の要部拡大図。
【図８】本発明の一実施形態における釣糸ガイドを示す要部断面図。
【発明を実施するための形態】
【００１６】
＜全体構成＞
以下、本発明の一実施形態に係る釣糸ガイドのガイドフレームとそれを用いた釣糸ガイドについて図１〜図８を参酌しつつ説明する。本実施形態における釣糸ガイドのガイドフレームを図１〜図７に示しており、それを用いた釣糸ガイドの要部を図８に示している。該釣糸ガイドは、釣糸を直接案内するためのガイドリング２と、該ガイドリング２を保持するためのガイドフレーム３とを備えている。
【００１７】
釣糸ガイドは、竿体４の外側に装着される。ガイドフレーム３は、竿体４に取り付けるための取付部１１と、該取付部１１から立設されたフレーム本体部１２とを備えている。取付部１１は筒状であってその内側に竿体４を挿通する構成となっている。尚、釣糸ガイドは、竿体４に対して取付部１１が移動可能であって所定位置で摩擦により位置固定される遊動式のもの、いわゆる遊動ガイド（移動ガイド）であってもよいし、竿体４の先端部等の所定位置に固着される固定式のもの、いわゆる固定ガイドであってもよい。
【００１８】
尚、竿先側を前側、竿尻側を後側と称し、また、フレーム本体部１２において、取付部１１から離れる方向を上側とし、取付部１１に近づく方向を下側と称することとする。従って、ガイドフレーム３の先端側が上側となり、基端側が下側となる。
【００１９】
＜ガイドリング２＞
ガイドリング２は例えば円形の環状であるが、その形状は任意であって楕円形や長円形等であってもよく、何れにしてもリング状（環状）である。以下、ガイドリング２が円形の場合について説明する。ガイドリング２は、例えばＳｉＣ（シリコンカーバイト）に代表されるセラミック等の耐摩耗性に優れた硬質材料からなり、釣糸が挿通する糸挿通孔を有しており、内周面を釣糸が摺動することで釣糸を直接案内する。尚、ガイドリング２の外周面は、両端にそれぞれ形成された曲面状の面取り部と、両面取り部間の部分を構成し、径一定であって中心線の方向に沿って延びるストレート形状の円柱状面からなるストレート部とから構成され、ストレート部がガイドフレーム３のリング装着孔１０の壁面における嵌合面部２０に面接触する。尚、ガイドリング２の中心線の方向の寸法は、ガイドフレーム３のフレーム本体部１２のそれよりも大きい。従って、フレーム本体部１２にガイドリング２を装着すると、フレーム本体部１２の前面１２ａ及び後面１２ｂからガイドリング２が突出した状態となる。
【００２０】
＜ガイドフレーム３の取付部１１＞
ガイドフレーム３は、竿体４に取り付けるための取付部１１と、該取付部１１から径方向外側に立設されたフレーム本体部１２とを備えている。取付部１１は、筒状に形成されており、その内側に竿体４が挿入される。即ち、取付部１１は竿体４が挿入される竿挿入孔１３を有している。該竿挿入孔１３は両端開口の貫通孔となっていて、該竿挿入孔１３に竿体４が挿入される。従って、竿挿入孔１３の中心線１３ａは竿体４の中心線と一致する。本実施形態における釣糸ガイドは、竿体４に対して前後方向に移動可能且つ軸線まわりに回転可能であって、竿体４の外周面との間の摩擦により所定位置に固定することができる、いわゆる遊動ガイド（移動ガイド）であるが、竿体４の外周面の所定位置に接着等により移動不能に固定される、いわゆる固定ガイドであってもよい。竿挿入孔１３の前端部と後端部にはそれぞれ開口側に向けてテーパ状に拡径する拡径部１３ｂが形成されている。また、竿挿入孔１３の前端開口縁部の全周のうち上部には局所的に凹状の逃げ部１３ｃを形成している。
【００２１】
取付部１１の外周面の形状は前部と後部で異なっており、前部は径略一定のストレート形状である一方、後部は後側に向けて徐々に小径となっていく逆テーパ形状である。詳細には、取付部１１の外周面の後部は、径方向外側に向けて凸状に湾曲しつつ後側に向けて小径となっていて、いわゆる逆砲弾型となっている。尚、取付部１１の外周面の後端は、竿挿入孔１３の後端開口縁部に達している。
【００２２】
また、取付部１１の外周面の前端部から上方に向けてフレーム本体部１２が延びているが、取付部１１の外周面の上部であってフレーム本体部１２よりも後側の部分には、全周のうち局所的に薄肉とされた肉抜き部１４が形成されている。該肉抜き部１４は、取付部１１の外周面を一定深さで削り取った形状であって、フレーム本体部１２の後面１２ｂの下端から後側に向けて竿体４の中心線の方向に沿って一定幅で延びている。
【００２３】
尚、取付部１１の前端面１１ａは、竿挿入孔１３の中心線１３ａに対して直交した面であってもよいが、本実施形態では図２及び図６のように上側から下側に向けて斜め後方に傾斜した傾斜面となっている。一方、取付部１１の後端は竿挿入孔１３の後端開口縁部になっており、その後端開口縁部は竿挿入孔１３の中心線１３ａに対して直交している。
【００２４】
＜ガイドフレーム３のフレーム本体部１２＞
フレーム本体部１２は、取付部１１の前端部から上方に向けて延設されており、該フレーム本体部１２にガイドリング２を装着するためのリング装着孔１０が形成されている。該フレーム本体部１２は、前後方向に薄い板状であって、その左右方向の寸法は、装着されるガイドリング２の外径によって異なり、従って、リング装着孔１０の径によって異なる。
【００２５】
また、図２及び図６のようにフレーム本体部１２は前側に所定角度傾倒している。即ち、竿挿入孔１３の中心線１３ａに対して直角にフレーム本体部１２が立ち上がっている場合を基準とすると、その基準の状態から前側に所定角度傾斜した状態で、即ち、前傾姿勢で立ち上がっている。直立状態からの傾斜角度は任意であるが、例えば４５度以下、好ましくは１０〜４０度であり、更に好ましくは、２０〜３０度である。そして、このように板状のフレーム本体部１２が前側に所定角度傾倒していることに伴って、フレーム本体部１２の厚さ方向に沿ってリング装着孔１０が形成されている。従って、リング装着孔１０の中心線１０ａは、竿挿入孔１３の中心線１３ａと平行ではなく、竿挿入孔１３の中心線１３ａに対して、前側が竿挿入孔１３の中心線１３ａに近づく方向に傾斜している。フレーム本体部１２の起立状態からの前側への傾斜角度は、即ち、竿挿入孔１３の中心線１３ａとリング装着孔１０の中心線１０ａとの間の角度である。尚、上述したように、取付部１１の前端面１１ａは、上側から下側に向けて斜め後方に傾斜した傾斜面となっているが、その取付部１１の前端面１１ａの傾斜角度とフレーム本体部１２の傾斜角度とは、同じであってもよいし、異なっていてもよい。即ち、取付部１１の前端面１１ａとフレーム本体部１２の前面１２ａとが同一平面であってもよいが、本実施形態では、取付部１１の前端面１１ａの傾斜角度よりもフレーム本体部１２の前面１２ａの傾斜角度の方が大きい。従って、取付部１１の前端面１１ａに対してフレーム本体部１２の前面１２ａは前側に屈曲している。
【００２６】
リング装着孔１０はフレーム本体部１２を貫通している。図６及び図７のようにそのリング装着孔１０の壁面には、螺旋状の溝２１が形成されている。従って、リング装着孔１１の壁面は、中心線１０ａの方向に沿って延びるストレート形状の円柱状面である嵌合面部２０と、該嵌合面部２０に対して径方向外側に凹んだ螺旋状の溝２１とから構成される。本実施形態においてガイドリング２が円形であることからリング装着孔１０も円形であって、従って、嵌合面部２０は径一定の円柱状面である。図８のようにリング装着孔１０にはガイドリング２が圧入されるが、嵌合面部２０にはガイドリング２の外周面が面接触する。従って、嵌合面部２０はガイドリング２の外周面と同一径である。この嵌合面部２０は、リング装着孔１０の前端部から後端部まで形成されている。
【００２７】
螺旋状の溝２１は、嵌合面部２０から径方向外側に凹んだ形状である。従って、リング装着孔１０にガイドリング２を装着した状態では、螺旋状の溝２１においてガイドリング２の外周面との間に隙間が形成される。そして、螺旋状の溝２１には接着剤が充填される。即ち、螺旋状の溝２１が接着溜まりとして用いられる。螺旋状の溝２１は、リング装着孔１０の壁面の前端部から他端部まで形成されており、従って、螺旋状の溝２１はリング装着孔１０の壁面の軸線方向の全長に亘って形成されている。螺旋状の溝２１は、リング装着孔１０の壁面の例えば後端部の全周のうちの所定箇所を始点として周方向に回転しつつ前側に延びていて、リング装着孔１０の壁面において少なくとも二回転した後、リング装着孔１０の壁面の前端部の全周のうちの所定箇所を終点としている。螺旋状の溝２１は少なくとも二回転分形成されることが好ましいが、本実施形態では３回転分形成されている。また、螺旋状の溝２１のピッチも任意であるが、リング装着孔１０の壁面に二回転以上形成されるようなピッチとされることが好ましい。また、螺旋状の溝２１の深さは、例えば０．１〜０．５ｍｍとされる。螺旋状の溝２１の断面形状も種々であってよいが、例えば深くなるほど幅狭となる逆三角形状とされる。
【００２８】
フレーム本体部１２の上端面１２ｃと前面１２ａとの間、及び、フレーム本体部１２の上端面１２ｃと後面１２ｂとの間には、図２及び図６のようにそれぞれ面取り用の曲面１２ｄ，１２ｅが形成されている。前後の面取り用の曲面１２ｄ，１２ｅは、何れも断面視において前後方向に湾曲した湾曲面であるが、互いに同じ曲率半径ではなく、後側の曲面１２ｅの曲率半径が前側の曲面１２ｄの曲率半径よりも小さくなっている。即ち、前側の曲面１２ｄは相対的に大きく、従って、フレーム本体部１２の上端面１２ｃと前面１２ａとの間の境界部分は大きく面取りされており、その一方、後側の曲面１２ｅは相対的に小さく、従って、フレーム本体部１２の上端面１２ｃと後面１２ｂとの間の境界部分は小さく面取りされている。
【００２９】
また、フレーム本体部１２の前面１２ａの下部には、肉抜き用凹部１６が形成されている。該肉抜き用凹部１６はフレーム本体部１２の前面１２ａの下部の左右方向中央部に位置しており、リング装着孔１０と竿挿入孔１３との間の中間に位置し、竿挿入孔１３の逃げ部１３ｃの直ぐ上側に位置している。肉抜き用凹部１６は貫通孔ではなく非貫通の凹部であって、その個数や正面視の形状は任意であるが、左右方向に長い形状のものを一箇所設けることが好ましい。また、フレーム本体部１２の前面１２ａを基準とした肉抜き用凹部１６の深さについても任意であって一定の深さとしてもよいが、上部が深くて下部が浅い形状とすることが好ましく、深さが上側から下側へと徐々に浅くなるように形成することが好ましい。即ち、肉抜き用凹部１６の底面が傾斜せずに竿挿入孔１３の中心線１３ａに対して直交していることが好ましい。
【００３０】
一方、フレーム本体部１２の後面１２ｂの下部の左右両側部にはそれぞれサイド補強壁部１７が形成されている。該サイド補強壁部１７は、図４や図６に示しているようにフレーム本体部１２の後面１２ｂと取付部１１の外周面との間を連結するように形成されている。該サイド補強壁部１７の前後方向の寸法は下側に向けて徐々に大きくなっていて、従って、サイド補強壁部１７は、フレーム本体部１２の後面１２ｂから取付部１１の外周面まで斜め下方に傾斜しつつ延びていて、サイド補強壁部１７の下端は取付部１１の外周面の前後方向中央部まで達している。また、図３のように竿挿入孔１３の中心線１３ａに沿って後方から見た背面視において、サイド補強壁部１７は縦長であって且つ、上側ほど即ち取付部１１から離れるほど幅狭となっており、下側ほど即ち取付部１１に近づくほど幅広となっている。サイド補強壁部１７の上下方向の長さは任意であるが、本実施形態では取付部１１の外周面からリング装着孔１０の最下部の左右両側の位置まで延びていてその上端１７ａの高さはリング装着孔１０の最下部の高さと略等しい。尚、上述した肉抜き部１４は、左右のサイド補強壁部１７の間に位置している。
【００３１】
以上のような構成のガイドフレーム３の材質は任意であって金属製や合成樹脂製であってよいが、合成樹脂製であることが好ましい。また、特には繊維強化樹脂製であることが好ましく、長さが１ｍｍ以下の短繊維を混入した合成樹脂とすることが好ましい。短繊維の長さは特には０．５ｍｍ以下であることが好ましい。ガイドフレーム３は、射出成形によって一体的に形成することができ、一つの部材からなる射出成形品とすることができる。ガイドフレーム３の材質は、射出成形に適した種々の熱可塑性樹脂であってよい。尚、短繊維としてはカーボン繊維等であってよい。射出成形によってガイドフレーム３を形成する場合、竿挿入孔１３とリング装着孔１０の双方を射出成形によって形成してもよいが、竿挿入孔１３を射出成形により形成する一方、リング装着孔１０は射出成形ではなく、成形後の半製品に孔加工することによって形成することが好ましい。リング装着孔１０の壁面を射出成形ではなく切削加工により形成すると、嵌合面部２０とガイドリング２の外周面との接着性が向上する。また、螺旋状の溝２１は、リング装着孔１０の壁面の全体をストレート部である嵌合面部２０として形成した後に、嵌合面部２０に後加工によって形成することが好ましく、例えば、ネジ切り加工によって形成することができる。
【００３２】
以上のようなガイドフレーム３を有する釣糸ガイドにあっては、リング装着孔１０の壁面に螺旋状の溝２１が形成されているので、その螺旋状の溝２１に接着剤を溜めることができる。即ち、螺旋状の溝２１を接着溜まりとすることができる。そのため、多くの量の接着剤でガイドリング２をガイドフレーム３に強固に接着固定できる。また、リング装着孔１０の壁面のうち螺旋状の溝２１以外の部分は、リング装着孔１０の軸線方向に沿ったフラットな面である嵌合面部２０となっているので、嵌合面部２０を案内面としてリング装着孔１０にガイドリング２を正確に挿入することができ、ガイドリング２の傾きを防止することができる。特に、嵌合面部２０がリング装着孔１０の壁面の前端部から後端部まで形成されているので、ガイドリング２を正確に圧入することができる。また、リング装着孔１０の壁面に螺旋状の溝２１が形成されていても、その壁面の全長のうちの半分以上の長さ領域は嵌合面部２０によって構成されているので、ガイドリング２を正確に案内することができてその傾きを防止することができる。そして、螺旋状の溝２１には接着剤を溜めることができるので、ガイドリング２を正確且つ強固に接着固定することができる。
【００３３】
また、螺旋状の溝２１は、リング装着孔１０の壁面の軸線方向の全長に亘って形成されていて、二回転以上形成されているので、螺旋状の溝２１の長さを十分に確保することができる。従って、多くの量の接着剤を螺旋状の溝２１に溜めることができ、十分な接着強度を確保できる。また、螺旋状の溝２１がリング装着孔１０の壁面の軸線方向の中途部のみに形成されているのではなく、その一端部と他端部がそれぞれリング装着孔１０の壁面の前端部と後端部に位置しているので、螺旋状の溝２１内の空気が排出されやすく、螺旋状の溝２１内に空気が残存しにくい。そのため、螺旋状の溝２１に接着剤を容易に溜めることができて所望の接着強度が得られやすい。
【符号の説明】
【００３４】
２    ガイドリング
３    ガイドフレーム
４    竿体
１０    リング装着孔
１０ａ  リング装着孔の中心線
１１    取付部
１１ａ  前端面
１２    フレーム本体部
１２ａ  前面
１２ｂ  後面
１２ｃ  上端面
１２ｄ  前側の曲面
１２ｅ  後側の曲面
１３    竿挿入孔
１３ａ  竿挿入孔の中心線
１３ｂ  拡径部
１３ｃ  逃げ部
１４    肉抜き部
１６    肉抜き用凹部
１７    サイド補強壁部
１７ａ  上端
１８    テーパ部
２０    嵌合面部
２１    螺旋状の溝
【図１】
2018007598.tif 000003
【図２】
2018007598.tif 000004
【図３】
2018007598.tif 000005
【図４】
2018007598.tif 000006
【図５】
2018007598.tif 000007
【図６】
2018007598.tif 000008
【図７】
2018007598.tif 000009
【図８】
2018007598.tif 000010